(57)【要約】      （修正有）【課題】ケーシングトリートメント用の溝の寸法を運転状況に応じて最も適した範囲に調整することができる、汎用的なケーシングトリートメント機構を備えるケーシングを提供する。【解決手段】ケーシング本体を備える、流体機械のためのケーシング１であって、ケーシング本体の内面１ａは、互いに間隔をおいて配置される複数の溝形成部２を含んでおり、ケーシングは、さらに、複数の溝形成部の各々に溝形成部の長さ方向に沿って配置されるケーシング可動部４と弾性部材５とを備えており、ケーシング可動部は、溝形成部の長さ方向に沿って移動可能であり、弾性部材は、少なくとも溝形成部の長さ方向に伸縮可能である、ケーシング。【選択図】図１
2017155658.tif 000002
【特許請求の範囲】
【請求項１】
ケーシング本体を備える、流体機械のためのケーシングであって、
前記ケーシング本体の内面は、互いに間隔をおいて配置される複数の溝形成部を含んでおり、前記ケーシングは、さらに、
前記複数の溝形成部の各々に前記溝形成部の長さ方向に沿って配置されるケーシング可動部と弾性部材とを備えており、
前記ケーシング可動部は、前記溝形成部の長さ方向に沿って移動可能であり、
前記弾性部材は、少なくとも前記溝形成部の長さ方向に伸縮可能である、ケーシング。
【請求項２】
ケーシング本体を備える、流体機械のためのケーシングであって、
前記ケーシング本体の内面は、互いに間隔をおいて配置される複数の溝形成部を含んでおり、前記ケーシングは、さらに、
前記複数の溝形成部の各々に前記溝形成部の深さ方向に沿って配置されるケーシング可動部と弾性部材とを備えており、
前記ケーシング可動部は、前記溝形成部の深さ方向に移動可能であり、
前記弾性部材は、前記ケーシング可動部と前記溝形成部との間で少なくとも前記溝形成部の深さ方向に伸縮可能である、ケーシング。
【請求項３】
前記溝形成部は、前記ケーシング本体の周方向に互いに間隔をおいて配置されている、請求項１または２に記載のケーシング。
【請求項４】
前記溝形成部は、前記ケーシング本体の軸線方向に互いに間隔をおいて配置されている、請求項１または２に記載のケーシング。
【請求項５】
ケーシング本体を備える、流体機械のためのケーシングであって、
前記ケーシング本体の内面に配置され、前記ケーシング本体に対して、前記ケーシング本体の周方向に移動可能なケーシング可動部を備えており、
前記ケーシング可動部の内面は、前記周方向に互いに間隔をおいて配置される複数の溝形成部を含んでおり、前記ケーシングは、さらに、
前記複数の溝形成部の各々に配置される弾性部材と、
前記複数の溝形成部の各々に配置され、前記ケーシング本体に対して固定されるストッパー部材と、を備えており、
前記弾性部材は、前記溝形成部と前記ストッパー部材との間で、少なくとも前記周方向に伸縮可能である、ケーシング。
【請求項６】
前記流体機械は、前記ケーシング本体に収容される羽根車を備えており、
前記複数の溝形成部は、少なくとも部分的に、前記羽根車の羽根の先端部の存在領域に対応する位置に形成される、請求項１〜５のいずれか一項に記載のケーシング。
【請求項７】
請求項１〜６のいずれか一項に記載のケーシングと前記ケーシングに収容される羽根車とを備える、流体機械。
【発明の詳細な説明】
【技術分野】
【０００１】
本発明は、ケーシング及び流体機械に関する。具体的には、本発明は、ケーシングトリートメントとしての可動部を含むケーシング及びこのケーシングを備える流体機械に関する。
【背景技術】
【０００２】
ケーシングに収容され回転駆動される羽根車を備える流体機械においては、運転中に生じるサージング現象を抑制することが求められる。例えば、流体機械の一例としての斜流ポンプは、一般に、図８に示すような性能特性（流量―揚程特性、換言すれば、Ｑ−Ｈ特性）を有する。図８において、横軸は流量、縦軸は揚程を表す。図８に示すように、比較的小流量の運転領域及び比較的大流量の運転領域では、流量が増加するにつれて揚程は低下するが、これらの運転領域の間に、流量が増加するにつれて揚程も増加する中間の運転領域が存在する。このような右上がり特性を示す運転領域では、ポンプの動作は不安定であり、サージング現象が生じ易い。サージング現象は、流路内の流体圧力及び流量の変動によって周期的な振動が生じる現象である。
【０００３】
サージング現象を抑制するための方法として、ケーシングトリートメントが知られている。ケーシングトリートメントとは、羽根車が配置された領域におけるケーシングの内面に溝を形成することである。例えば、特許文献１は、ケーシングの内面における羽根の入口側と羽根存在領域との間で軸方向、周方向、または斜め方向に延びる複数の細長い溝を形成することを記載している。右上がり特性を生じさせる原因の一つとして、羽根の入口側で発生する旋回流がある。ケーシングトリートメント用の溝を形成することにより、比較的圧力の高い羽根の先端部から比較的圧力の低い羽根の入口側に向けて、流体を溝を通して逆流させ、羽根の入口側の旋回流を制動するように作用させることができる。
【０００４】
また、特許文献２は、羽根入口部において羽根からの流れがケーシングトリートメント用の溝と干渉することによる振動・騒音の発生を抑制するための手段を記載している。具体的には、溝が形成された可動のケーシングライナーまたはケーシング内面に形成された溝を開閉可能な可動部材を設けることを記載している。ケーシングライナーを軸方向に移動させて溝の位置を変えるか、または、可動部材を軸方向に移動させてケーシング内面の溝を開閉することにより、羽根からの流れと溝との干渉の有無の切り替えまたは干渉長さの調整が行われる。
【０００５】
特許文献２は、溝と羽根との干渉長さを調整することを記載している。しかし、十分なサージング抑制効果を生じさせるためには、ケーシングトリートメント用の溝の長さ、幅、深さ、傾きのそれぞれについて適正な範囲があることが知られている。
【先行技術文献】
【特許文献】
【０００６】
【特許文献１】特許第３８８４８８０号
【特許文献２】特許第３８７２９６６号
【発明の概要】
【発明が解決しようとする課題】
【０００７】
ケーシングトリートメント用の溝の寸法を運転状況に応じて最も適した範囲に調整することができる、汎用的なケーシングトリートメント機構を備えるケーシングが求められている。
【課題を解決するための手段】
【０００８】
本発明の一実施形態によれば、ケーシング本体を備える、流体機械のためのケーシングであって、ケーシング本体の内面は、互いに間隔をおいて配置される複数の溝形成部を含んでおり、ケーシングは、さらに、複数の溝形成部の各々に溝形成部の長さ方向に沿って配置されるケーシング可動部と弾性部材とを備えており、ケーシング可動部は、溝形成部の長さ方向に沿って移動可能であり、弾性部材は、少なくとも溝形成部の長さ方向に伸縮可能である、ケーシングが提供される。この構成によれば、ケーシング可動部を溝形成部の長さ方向に移動させることによって、弾性部材を伸縮させることができ、これにより、ケーシングトリートメント用の溝の長さを調整することができる。
【０００９】
本発明の一実施形態によれば、ケーシング本体を備える、流体機械のためのケーシングであって、ケーシング本体の内面は、互いに間隔をおいて配置される複数の溝形成部を含んでおり、ケーシングは、さらに、複数の溝形成部の各々に溝形成部の深さ方向に沿って配置されるケーシング可動部と弾性部材とを備えており、ケーシング可動部は、溝形成部の深さ方向に移動可能であり、弾性部材は、ケーシング可動部と溝形成部との間で少なくとも溝形成部の深さ方向に伸縮可能である、ケーシングが提供される。この構成によれば、ケーシング可動部を溝形成部の深さ方向に移動させることによって、弾性部材を伸縮させることができ、これにより、ケーシングトリートメント用の溝の深さを調整することができる。
【００１０】
本発明の一実施形態によれば、溝形成部は、ケーシング本体の周方向に互いに間隔をおいて配置されている。
【００１１】
本発明の一実施形態によれば、溝形成部は、ケーシング本体の軸線方向に互いに間隔をおいて配置されている。
【００１２】
本発明の一実施形態によれば、ケーシング本体を備える、流体機械のためのケーシングであって、ケーシング本体の内面に配置され、ケーシング本体に対して、ケーシング本体の周方向に移動可能なケーシング可動部を備えており、ケーシング可動部の内面は、周方向に互いに間隔をおいて配置される複数の溝形成部を含んでおり、ケーシングは、さらに、複数の溝形成部の各々に配置される弾性部材と、複数の溝形成部の各々に配置され、ケーシング本体に対して固定されるストッパー部材と、を備えており、弾性部材は、溝形成部とストッパー部材との間で、少なくとも周方向に伸縮可能である、ケーシングが提供される。この構成によれば、ケーシング可動部をケーシング本体の周方向に移動させることによって、弾性部材をケーシング可動部とストッパー部材との間で伸縮させることができ、これにより、ケーシングトリートメント用の溝の幅を調整することができる。
【００１３】
本発明の一実施形態によれば、流体機械は、ケーシング本体に収容される羽根車を備えており、複数の溝形成部は、少なくとも部分的に、羽根車の羽根の先端部の存在領域に対応する位置に形成される。
【００１４】
本発明の一実施形態によれば、上記のいずれかに記載のケーシングとケーシングに収容される羽根車とを備える、流体機械が提供される。
【図面の簡単な説明】
【００１５】
【図１】本発明の第１実施形態によるケーシングの概略部分断面図である。
【図２】第１実施形態のケーシングの内面を概略的に示す図である。
【図３】本発明の第２実施形態によるケーシングの概略部分断面図である。
【図４】第２実施形態のケーシングの内面を概略的に示す図である。
【図５】本発明の第３実施形態によるケーシングの概略断面図である。
【図６】本発明の第３実施形態によるケーシングを、図５の上下方向に見た側面図である。
【図７】ストッパー部材を示す図である。
【図８】流体機械の性能特性の一例を示す図である。
【発明を実施するための形態】
【００１６】
以下、本発明の実施形態を添付図面に参照して説明する。
［第１実施形態（溝長さ調整機構）］
【００１７】
図１は、本発明の第１実施形態によるケーシング１００を、その軸線方向に対して横方向（換言すれば、周方向）に見た概略部分断面図である。本実施形態のケーシング１００のケーシング本体１０は、その長さ方向に沿って互いに接合される複数のケーシング本体部分１を備えている。本実施形態では、ケーシング１００は、流体機械の一部を構成する。具体的には、ケーシング本体１０は、回転駆動される羽根車を収容する（図１では、羽根車の羽根６の先端部のみを概略的に示す）。図１に示すように、ケーシング本体１０の内面には、ケーシングトリートメント用の溝を形成するための溝形成部２が形成されており、溝形成部２の位置は、少なくとも部分的に、羽根車の羽根６の先端部が存在する領域（換言すれば、回転する羽根車の羽根６の先端部が通過する領域）に対応する。
【００１８】
図１の例では、複数のケーシング本体部分１のうち、羽根６の先端部が存在する領域に配置される中央のケーシング本体部分１の内面に、ケーシング本体１０の軸線方向に延びる溝形成部２が、ケーシング本体１０の周方向に互いに間隔をおいて形成されている。具体的には、図１において、溝形成部２は、中央のケーシング本体部分１の内面１ａと、これに隣接する２つのケーシング本体部分１の長さ方向端面１ｂと、により画定される。しかし、本実施形態において、溝形成部２を形成する方法は特に限られない。溝形成部２は、例えば、単一のケーシング本体部分１によって画定されるように、単一のケーシング本体部分１の内面を凹状に切削加工することによって形成することもできる。
【００１９】
ケーシング１００は、さらに、溝形成部２内に配置されるケーシング可動部４と、溝形成部２内に配置される弾性部材５と、を備えている。溝形成部２内におけるケーシング可動部４を溝形成部２の長さ方向に移動させることによって、弾性部材５を伸縮させることができる。これにより、ケーシングトリートメント用の溝の長さを調整することができる。
【００２０】
上記したように、図示の実施形態では、溝形成部２は、ケーシング本体１０の周方向に互いに間隔をおいて配置されている。図２は、溝形成部２を、ケーシング本体１０の内面側から見た図である。図２に示すように、各溝形成部２内には、溝形成部２の長さ方向に沿って、ケーシング可動部４と弾性部材５とが互いに隣接して配置されている。尚、本実施形態では、各溝形成部２は、ケーシング本体１０の軸線方向に延びているので、溝形成部２の長さ方向は、ケーシング本体１０の軸線方向と一致している。しかし、各溝形成部２は、ケーシング本体１０の周方向に延びていてもよく、この場合、溝形成部２の長さ方向は、ケーシング本体１０の周方向と一致する。溝形成部２は、周方向に沿って不連続に（換言すれば、間欠的に）延びていてもよい。また、各溝形成部２は、ケーシング本体１０の軸線に対して斜めに傾斜する方向に延びていてもよい。
【００２１】
図２から分かるように、ケーシング可動部４は、溝形成部２の幅と実質的に同じ幅を有している。また、溝形成部２に弾性部材５を収容することができるように、溝形成部２の全長よりも小さい長さを有している。弾性部材５は、例えば、ゴム等で形成され、少なくとも溝形成部２の長さ方向に伸縮可能な部材である。ケーシング可動部４は、ケーシング
本体１０と同じ材料で形成することができる。弾性部材５は、ケーシング可動部４とケーシング本体部分１との間の圧縮によって、溝形成部２内に保持されることができる。しかし、弾性部材５は、その長さ方向における一端部が溝形成部２の長さ方向一端面１ｂに、接着剤等により固定されていてもよい。ケーシング可動部４は、後述する操作部４ａを介して、外部の駆動機構によって保持されることができる。
【００２２】
図１に示されるように、ケーシング可動部４の厚み（換言すれば、溝形成部２の深さ方向における寸法）は、実質的に、溝形成部２の深さと同じであり、従って、ケーシング可動部４の内面は、溝形成部２周囲のケーシング本体部分１の内面と実質的に面一である。
【００２３】
必要に応じて溝形成部２の全体をケーシング可動部４と弾性部材５とで塞ぐことができるように、ケーシング可動部４及び弾性部材５の寸法を設定することが好ましい。これにより、必要に応じて、ケーシング本体１０の内面をケーシングトリートメント用の溝が存在しない状態にすることができる。
【００２４】
ケーシング可動部４は、ケーシング可動部４を駆動する駆動機構の一部として機能し得る操作部４ａを含むことができる。本実施形態では、操作部４ａは、溝形成部２内に収容されるケーシング可動部本体４ｂからケーシング本体１０の径方向外側に向けて延びる突状片により形成されている。しかし、操作部４ａの形態はこれには限られない。図１の例では、操作部４ａは、ケーシング本体部分１に形成された開口１ｃを通してケーシング本体１０の外側に向けて延びている。開口１ｃは、溝形成部２の長さ方向に沿った操作部４ａの移動、すなわちケーシング可動部４の移動を許容するのに十分な大きさを有する。
【００２５】
ケーシング可動部４は、溝形成部２ごとに配置される互いに別体の部材であることができる。しかし、互いに別体のケーシング可動部本体４ｂが、単一の操作部によって連結され、一体化されていてもよい。
【００２６】
適宜の駆動機構を用いてケーシング可動部４を溝形成部２の長さ方向に移動させることにより、弾性部材５を伸縮させ、運転状況に応じて所望の長さを有するケーシングトリートメント用の溝を形成することができる。図１に示すように、ケーシングトリートメント用の溝は、中央のケーシング本体部分１の内面１ａ、隣接するケーシング本体部分１の長さ方向一端面１ｂ及びケーシング可動部材本体４ｂの長さ方向端面４ｃにより画定される。
【００２７】
ケーシング可動部４の駆動機構は特に限られない。例えばモータを使用することができ、または、エアシリンダー、油圧シリンダー等の流体圧シリンダーを使用することもできる。また、駆動機構の制御は、流体機械の内部圧力を計測する圧力センサ、吐出量を計測する流量計等の測定値に基づき自動的に行うことが可能である。
［第２実施形態（溝深さ調整機構）］
【００２８】
図３は、本発明の第２実施形態によるケーシングを、その軸線方向に対して横方向（換言すれば、周方向）に見た概略部分断面図である。第２実施形態は、溝形成部内におけるケーシング可動部と弾性部材の配置において第１実施形態と異なっている。その他の構成は、第１実施形態のものと実質的に同様である。
【００２９】
図３に示されるように、ケーシング本体２０の内面に形成された溝形成部２２内に、ケーシング可動部２４と弾性部材２５とが、溝形成部２２の深さ方向に沿って互いに隣接して配置されている。尚、図３の例では、溝形成部２２は、中央のケーシング本体部分２１の内面（符号省略）と、これに隣接する２つのケーシング本体部分２１の長さ方向端面２１ｂと、により画定される。図３に示すように、弾性部材２５は、中央のケーシング本体
部分２１とケーシング可動部２４との間に配置されている。溝形成部２２内でケーシング可動部２４を溝形成部２２の深さ方向に移動させることによって、弾性部材２５を伸縮させることができる。これにより、ケーシングトリートメント用の溝の深さを調整することができる。
【００３０】
尚、図３に示す実施形態では、溝形成部２２は、ケーシング本体２０の周方向に互いに間隔をおいて配置されている。図４は、溝形成部２２を、ケーシング本体２０の内面側から見た図である。従って、図４の各溝形成部２２内には、ケーシング可動部２４のみが示されている。尚、本実施形態では、各溝形成部２２は、ケーシング本体２０の軸線方向に延びているので、溝形成部２２の長さ方向は、ケーシング本体２０の軸線方向と一致している。しかし、各溝形成部２２は、ケーシング本体２０の周方向に延びていてもよく、この場合、溝形成部２２の長さ方向は、ケーシング本体２０の周方向と一致する。溝形成部２２は、周方向に沿って不連続に（換言すれば、間欠的に）延びていてもよい。また、各溝形成部２２は、ケーシング本体２０の軸線に対して斜めに傾斜する方向に延びていてもよい。
【００３１】
図４に示すように、ケーシング可動部２４は、溝形成部２２の幅と実質的に同じ幅を有しており、溝形成部２２の全長と実質的に同じ長さを有している。ケーシング可動部２４の厚みは、溝形成部２２に弾性部材２５を収容することができるように、溝形成部２２の深さよりも小さく設定されている。弾性部材２５は、例えばゴム等で形成され、少なくとも溝形成部２２の深さ方向に伸縮可能な部材である。ケーシング可動部２４は、ケーシング本体２０と同じ材料で形成することができる。弾性部材２５は、ケーシング可動部２４とケーシング本体部分２１との間で保持されることができる。ケーシング可動部２４は、操作部２４ａを介して、外部の駆動機構によって保持されることができる。
【００３２】
必要に応じて溝形成部２２の全体をケーシング可動部２４と弾性部材２５とで塞ぐことができるように、ケーシング可動部２４及び弾性部材２５の寸法を設定することが好ましい。これにより、必要に応じて、ケーシング本体２０の内面をケーシングトリートメント用の溝が存在しない状態にすることができる。
【００３３】
ケーシング可動部２４は、ケーシング可動部２４を駆動する駆動機構の一部として機能し得る操作部２４ａを含むことができる。本実施形態では、操作部２４ａは、溝形成部２内に収容されるケーシング可動部本体２４ｂからケーシング本体２０の径方向外側に向けて延びる突状片により形成されている。具体的には、操作部２４ａは、弾性部材２５を貫通し、さらにケーシング本体部分２１に形成された開口２１ｃを通してケーシング本体２０の外側に向けて延びている。しかし、操作部２４ａの形態はこれには限られない。
【００３４】
ケーシング可動部２４は、溝形成部２２ごとに配置される互いに別体の部材であることができるが、互いに別体のケーシング可動部本体２４ｂが、単一の操作部によって連結され、一体化されていてもよい。
【００３５】
適宜の駆動機構を用いてケーシング可動部２４を溝形成部２２の深さ方向に移動させることにより、弾性部材２５を伸縮させ、運転状況に応じて所望の深さを有するケーシングトリートメント用の溝を形成することができる。図３の例では、ケーシングトリートメント用の溝は、ケーシング可動部材本体２４ｂの内面２４ｃと、これに隣接する２つのケーシング本体部分２１の長さ方向端面２１ｂと、により画定される。
【００３６】
ケーシング可動部の駆動機構は特に限られない。例えばモータを使用することができ、または、エアシリンダー、油圧シリンダー等の流体圧シリンダーを使用することもできる。また、駆動機構の制御は、流体機械の内部圧力を計測する圧力センサ、吐出量を計測す
る流量計等の測定値に基づき自動的に行うことが可能である。
［第３実施形態（溝幅調整機構）］
【００３７】
図５は、本発明の第３実施形態によるケーシング３００を、その軸線方向に見た概略断面図である。図６は、図５の上下方向に見たケーシング３００の部分側面図である。第１及び第２実施形態と同様に、第３実施形態のケーシング３００のケーシング本体（符号省略）もまた、その長さ方向に沿って互いに接合される複数のケーシング本体部分３１を備えている。本実施形態では、ケーシング３００は、流体機械の一部を構成する。具体的には、ケーシング３００は、回転駆動される羽根車を収容する。図５に示すように、ケーシング３００は、ケーシング本体部分３１の内面に配置されるケーシング可動部３４を備えており、ケーシング可動部３４は、ケーシング本体部分３１に対して、ケーシング本体の周方向に移動可能である。ケーシング可動部３４の内面に、ケーシングトリートメント用の溝を形成するための複数の溝形成部３２が形成されている。溝形成部３２は、ケーシング本体の周方向に互いに間隔をおいて配置される。第１及び第２実施形態と同様に、溝形成部３２の位置は、少なくとも部分的に羽根車の羽根３６の先端部が存在する領域（換言すれば、回転する羽根車の羽根３６の先端部が通過する領域）に対応する。尚、図５の例では、羽根車は４つの羽根３６を有しているが、これは、本実施形態を限定するものではない。
【００３８】
上記したように、第３実施形態では、溝形成部３２が、ケーシング可動部３４の内面に形成される。従って、ケーシング可動部３４を収容するケーシング本体部分３１の内径は、隣接するケーシング本体部分３１の内径よりも大きく設定され、ケーシング可動部３４の内面が、隣接するケーシング本体部分３１の内面と実質的に面一になるように構成されている。尚、図５の例では、便宜上、６つの溝形成部３２が示されているが、本実施形態において、溝形成部３２の数は特に限られない。
【００３９】
尚、本実施形態では、各溝形成部３２の長さ方向はケーシング本体の軸線方向と一致し、溝形成部３２の幅方向はケーシング本体の周方向と一致している。しかし、各溝形成部３２の長さ方向は、ケーシング本体１０の周方向と一致してもよく、この場合、各溝形成部３２の幅方向は、ケーシング本体の軸線方向と一致する。この場合、第３実施形態は、溝長さ調整機構として用いられることができる。
【００４０】
図５に示すように、複数の溝形成部３２の各々に、弾性部材３５が収容されている。弾性部材３５は、少なくとも溝形成部３２の幅方向（換言すれば、ケーシング本体の周方向）に伸縮可能である。
【００４１】
図５に示すように、各溝形成部３２には、ケーシング本体部分３１に対して固定されたストッパー部材３７が配置される。ストッパー部材３７のケーシング本体部分３１に対する固定方法は特に限られない。弾性部材３５は、溝形成部３２の幅方向一端面とストッパー部材３７との間に配置される。図７は、図５のＡ−Ａ矢視図であり、溝形成部３２に配置されたストッパー部材３７を示す図である。図７に示すように、ストッパー部材３７は、ケーシング可動部３４の移動を許容するための開口部３７ａを備えており、弾性部材３５は、開口部３７ａの下側でストッパー部材３７に当接する。こうして、ケーシング可動部３４は、ストッパー部材３７の開口部３７ａを通って、ケーシング本体部分３１に対して移動可能である。弾性部材３５は、ケーシング可動部３４の周方向移動に応じて、ケーシング可動部３４とストッパー部材３７との間で伸縮する。ケーシングトリートメント用の溝は、弾性部材３５が配置されていない、ストッパー部材３７とケーシング可動部３４との間の空間により形成される。
【００４２】
弾性部材３５は、ケーシング可動部３４とストッパー部材３７との間で圧縮されること
によって、溝形成部３２内に保持されることができる。しかし、弾性部材３５は、その周方向における一端部が、溝形成部３２の周方向一端面及び／またはストッパー部材３７に、接着剤等により固定されていてもよい。ケーシング可動部３４は、操作部３４ａを介して、外部の駆動機構によって保持されることができる。
【００４３】
必要に応じて溝形成部３２の全体をストッパー部材３７及び弾性部材３５で塞ぐことができるように、弾性部材３５の寸法を設定することが好ましい。これにより、必要に応じて、ケーシング本体の内面をケーシングトリートメント用の溝が存在しない状態にすることができる。
【００４４】
ケーシング可動部３４は、ケーシング可動部３４を駆動する駆動機構の一部として機能し得る操作部３４ａを含むことができる。本実施形態では、操作部３４ａは、ケーシング本体部分３１に収容されるケーシング可動部本体３４ｂからケーシング本体部分３１の径方向外側に延びる突状片により形成されている。しかし、操作部３４ａの形態はこれには限られない。図５の例では、操作部３４ａは、ケーシング本体部分３１に形成された開口３１ｃを通してケーシング本体の外側に延びている。開口３１ｃは、操作部３４ａの周方向移動、すなわち溝形成部３２を開閉するケーシング可動部３４の移動を許容するのに十分な周方向の隙間を形成する。
【００４５】
適宜の駆動機構を用いてケーシング可動部３４を周方向に移動させることにより、弾性部材３５を伸縮させ、運転状況に応じて所望の幅を有するケーシングトリートメント用の溝を形成することができる。図５に示すように、ケーシングトリートメント用の溝は、ストッパー部材３７と、溝形成部３２の内面３４ｃ及び幅方向一端面３４ｄと、により画定される。
【００４６】
ケーシング可動部３４の駆動機構は特に限られない。例えばモータを使用することができ、または、エアシリンダー、油圧シリンダー等の流体圧シリンダーを使用することもできる。また、駆動機構の制御は、流体機械の内部圧力を計測する圧力センサ、吐出量を計測する流量計等の測定値に基づき自動的に行うことが可能である。
【００４７】
第１乃至第３実施形態は、適宜組み合わせてもよい。また、各実施形態が適用される流体機械は、斜流ポンプの他、軸流ポンプ、ポンプ水車等、回転駆動される羽根車を収容するケーシングを備える各種の流体機械に適用することができる。
【産業上の利用可能性】
【００４８】
本発明は、斜流ポンプの他、軸流ポンプ、ポンプ水車等、回転駆動される羽根車を収容するケーシングを備える各種の流体機械に適用することができる。
【符号の説明】
【００４９】
１  ケーシング本体部分
１ａ  内面
１ｂ  長さ方向端面
１ｃ  開口
２  溝形成部
４  ケーシング可動部
４ａ  操作部
４ｂ  ケーシング可動部本体
４ｃ  長さ方向端面
５  弾性部材
６  羽根
１０  ケーシング本体
２０  ケーシング本体
２１  ケーシング本体部分
２１ｂ  長さ方向端面
２１ｃ  開口
２２  溝形成部
２４  ケーシング可動部
２４ａ  操作部
２４ｂ  ケーシング可動部本体
２４ｃ  内面
２５  弾性部材
２６  羽根
３１  ケーシング本体部分
３１ｃ  開口
３２  溝形成部
３４  ケーシング可動部
３４ａ  操作部
３４ｂ  ケーシング可動部本体
３４ｃ  内面
３４ｄ  幅方向端面
３５  弾性部材
３６  羽根
３７  ストッパー部材
３７ａ  開口
１００、２００、３００  ケーシング
【図１】
2017155658.tif 000003
【図２】
2017155658.tif 000004
【図３】
2017155658.tif 000005
【図４】
2017155658.tif 000006
【図５】
2017155658.tif 000007
【図６】
2017155658.tif 000008
【図７】
2017155658.tif 000009
【図８】
2017155658.tif 000010